(57)【要約】【課題】不正行為が及ぶ蓋然性が非常に高いに状況になると、事前に不正行為に対する措置がとられるようになるメダル貸出機の提供。【解決手段】隣接するスロットマシン１への不正行為により当該スロットマシン１から出力される不正検知信号を信号受信手段210 が受信すると、強制停止手段230 が無端ベルト53を強制的に停止させる。これにより、スロットマシン１に不正行為がなされて、メダル貸出機２にも不正行為がなされる蓋然性が非常に高い状況になると、事前に、メダルを外部に移送する無端ベルト53が自動的に停止され、貸出メダル払出装置25等に不正行為を行っても、メダルを外部に取り出すことができない。従って、不正行為が及ぶ蓋然性が非常に高いに状況になると、事前に不正行為に対して適切な措置がとられるようになる。【選択図】    図８
2008073123.tif 000002
【特許請求の範囲】
【請求項１】
正回転方向へ回転駆動されると、隣接するスロットマシンに向かってメダルを送り出すベルトを有する搬送ベルト装置と、複数のメダルを貯留するとともに、前記搬送ベルト装置の前記ベルトの上に、貯留しているメダルを排出可能となっているメダル貯留装置とが内蔵され、遊技者のメダル貸出要求操作に対応して、前記メダル貯留装置が前記ベルトの上にメダルを排出し、前記搬送ベルト装置が前記ベルトを正回転方向へ駆動して、前記スロットマシンにメダルを供給するメダル貸出機であって、
前記スロットマシンに対して不正行為が行われた際に、前記スロットマシンから出力される不正検知信号を受信する信号受信手段と、
この信号受信手段が前記不正検知信号を受信すると、前記搬送ベルト装置による前記ベルトの回転駆動を強制的に停止させる強制停止手段とを備えていることを特徴とするメダル貸出機。
【請求項２】
前記ベルトの上方に形成されるとともに複数のメダルが通過可能となっている一括投入口と、
この一括投入口を閉鎖可能なサイズのシャッタと、
前記一括投入口を閉鎖する閉鎖位置及び前記一括投入口を開放する開放位置の二位置の間に渡ってシャッタを駆動可能なシャッタ駆動手段と、
前記信号受信手段が前記不正検知信号を受信した後、前記搬送ベルト装置に対して前記ベルトを起動すべき旨を指令するベルト起動信号が発信されると、前記シャッタを強制的に閉鎖位置へ移動させる強制閉鎖手段とが設けられていることを特徴とする請求項１記載のメダル貸出機。
【請求項３】
両側に配置されたスロットマシンのいずれに対してもメダルを投入することが可能となるように、両側のスロットマシンの一方から他方へメダルの供給先を切り換えるメダル供給切換機構が設けられ、
前記信号受信手段は、前記両側に配置されたスロットマシンから出力される不正検知信号のいずれもが受信可能となるように形成され、
前記強制停止手段は、前記信号受信手段が前記両側に配置されたスロットマシンの少なくとも一方から前記不正検知信号を受信すると、前記搬送ベルト装置による前記ベルトの回転駆動を強制的に停止させるように形成されていることを特徴とする請求項１又は２記載のメダル貸出機。
【請求項４】
紙幣が投入される紙幣投入口を有し、この紙幣投入口に投入された紙幣を検査し、当該紙幣が真正なものである場合に、メダルの貸出動作を要求することを示すメダル貸出要求信号を出力する紙幣カウンタと、
この紙幣カウンタの前記紙幣投入口を閉鎖可能な閉鎖部材と、
前記紙幣投入口を閉鎖する閉鎖位置及び前記紙幣投入口を開放する開放位置の二位置の間に渡って閉鎖部材を駆動可能な閉鎖部材駆動手段と、
前記信号受信手段が前記両側に配置されたスロットマシンの少なくとも一方から前記不正検知信号を受信すると、前記閉鎖部材を閉鎖位置に移動させる紙幣投入口閉鎖手段とが設けられていることを特徴とする請求項３記載のメダル貸出機。
【発明の詳細な説明】
【技術分野】
【０００１】
本発明は、遊技を行うのにメダルを投入する必要があるスロットマシンに、メダルを自動的に投入することができるメダル貸出機に関する。
【背景技術】
【０００２】
従来から、人々に娯楽を提供する遊技機として、遊技媒体であるメダルを用いるスロットマシンが利用されている。このスロットマシンでは、メダルを投入した後、所定の操作を行うと、複数種類の図柄が記された複数の回転リールが一斉に回転駆動される。そして、遊技者は、回転された複数の回転リールを順番に停止させていき、停止させた回転リールに示される図柄を所定の組合せに揃えることができれば、入賞となり、スロットマシンに設けられているメダル貯留用の下皿に所定枚数のメダルが払い出され、これらのメダルを賞品として受けることができる。
ここで、スロットマシンを備えた遊技場には、遊技者にメダルを貸し出すためのメダル貸出機が設けられているのが一般的である。そして、配列された複数のスロットマシンの間にメダル貸出機を設置すれば、隣接するスロットマシンで遊技を行う遊技者が当該スロットマシンから離れなくとも、メダルの貸し出しを受けることができる。
【０００３】
ここで、メダル貸出機としては、複数のメダルを貯留するメダル貯留装置と、隣接するスロットマシンにメダルを搬送するための搬送ベルト装置と、搬送ベルト装置から送られてきたメダルをスロットマシンのメダル入口に導く移送通路部とを備えたものが知られている。
ここで、メダル貯留装置は、搬送ベルト装置の上方に配置され、貯留しているメダルを搬送ベルト装置のベルトの上に排出可能となっている。また、搬送ベルト装置は、ベルトを駆動して、ベルトの上に載置されたメダルをスロットマシンの移送通路部まで搬送するとともに、移送通路部に達したメダルを移送通路部の溝の内部に落とし込むように形成されている。そして、移送通路部は、スロットマシンのメダル投入口に向かって下り勾配が付けられ、これにより、溝の内部に落とし込まれたメダルが自重によりメダル投入口まで到達して、メダル投入口の内部に自動的に投入されるようになっている。
【０００４】
このようなメダル貸出機によれば、遊技者が貸出メダルの代金となる紙幣をメダル貸出機に投入すると、メダル貸出機のメダル貯留装置が搬送ベルト装置のベルトの上にメダルを排出する。すると、搬送ベルト装置がベルトの上に載ったメダルをスロットマシンの移送通路部まで搬送して移送通路部の溝の内部に落とし込む。そして、移送通路部の溝の内部に落とし込まれたメダルは、移送通路部を通ってスロットマシンのメダル投入口の内部に自動的に投入される。これにより、紙幣をメダル貸出機に投入するだけで、スロットマシンにメダルが自動投入されるようになり、遊技者の遊技における便宜を図ることができる（例えば、特許文献１参照）。
【特許文献１】特開２００５−１９２７２１号（図３、図４）
【発明の開示】
【発明が解決しようとする課題】
【０００５】
前述のようなメダル貸出機では、隣接するスロットマシンに対して不正行為がなされ、当該メダル貸出機にも不正行為が及ぶ蓋然性が非常に高いに状況になっているにもかかわらず、実際に不正行為が当該メダル貸出機になされるまで、不正行為に対抗する措置が何らなされることがなく、不正行為に対する措置が常に後手になっている、という問題がある。このため、事前に不正行為に対する措置がとれるようになるメダル貸出機が要望されている。
そこで、各請求項にそれぞれ記載された各発明は、上記した従来の技術の有する問題点に鑑みてなされたものであり、その目的とするところは、不正行為が及ぶ蓋然性が非常に高いに状況になると、事前に不正行為に対する措置がとれるようになるメダル貸出機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、正回転方向へ回転駆動されると、隣接するスロットマシン(１)に向かってメダルを送り出すベルト(53)を有する搬送ベルト装置(40)と、複数のメダルを貯留するとともに、前記搬送ベルト装置(40)の前記ベルト(53)の上に、貯留しているメダルを排出可能となっているメダル貯留装置(25)とが内蔵され、遊技者のメダル貸出要求操作に対応して、前記メダル貯留装置(25)が前記ベルト(53)の上にメダルを排出し、前記搬送ベルト装置(40)が前記ベルト(53)を正回転方向へ駆動して、前記スロットマシン(１)にメダルを供給するメダル貸出機(２)であって、前記スロットマシン(１)に対して不正行為が行われた際に、前記スロットマシン(１)から出力される不正検知信号を受信する信号受信手段(210) と、この信号受信手段(210) が前記不正検知信号を受信すると、前記搬送ベルト装置(40)による前記ベルト(53)の回転駆動を強制的に停止させる強制停止手段(230) とを備えていることを特徴とする。
【０００７】
（請求項２）
（特徴点）
請求項２記載の発明は、前述した請求項１に記載の発明において、次の特徴点を備えているものである。
すなわち、請求項２記載の発明は、前記ベルト(53)の上方に形成されるとともに複数のメダルが通過可能となっている一括投入口(31)と、この一括投入口(31)を閉鎖可能なサイズのシャッタ(33)と、前記一括投入口(31)を閉鎖する閉鎖位置及び前記一括投入口(31)を開放する開放位置の二位置の間に渡ってシャッタ(33)を駆動可能なシャッタ駆動手段(35)と、前記信号受信手段(210) が前記不正検知信号を受信すると、前記シャッタ(33)を強制的に閉鎖位置へ移動させる強制閉鎖手段(240) とが設けられていることを特徴とする。
【０００８】
（請求項３）
（特徴点）
請求項３記載の発明は、前述した請求項１又は２に記載の発明において、次の特徴点を備えているものである。
すなわち、請求項３記載の発明は、両側に配置されたスロットマシン(１)のいずれに対してもメダルを投入することが可能となるように、両側のスロットマシン(１)の一方から他方へメダルの供給先を切り換えるメダル供給切換機構(70)が設けられ、前記信号受信手段(210) は、前記両側に配置されたスロットマシン(１)から出力される不正検知信号のいずれもが受信可能となるように形成され、前記強制停止手段(230) は、前記信号受信手段(210) が前記両側に配置されたスロットマシン(１)の少なくとも一方から前記不正検知信号を受信すると、前記搬送ベルト装置(40)による前記ベルト(53)の回転駆動を強制的に停止させるように形成されていることを特徴とするものである。
【０００９】
（請求項４）
（特徴点）
請求項４記載の発明は、前述した請求項３に記載の発明において、次の特徴点を備えているものである。
すなわち、請求項４記載の発明は、紙幣が投入される紙幣投入口(21)を有し、この紙幣投入口(21)に投入された紙幣を検査し、当該紙幣が真正なものである場合に、メダルの貸出動作を要求することを示すメダル貸出要求信号を出力する紙幣カウンタ(22)と、この紙幣カウンタ(22)の前記紙幣投入口(21)を閉鎖可能な閉鎖部材(21A) と、前記紙幣投入口(21)を閉鎖する閉鎖位置及び前記紙幣投入口(21)を開放する開放位置の二位置の間に渡って閉鎖部材(21A) を駆動可能な閉鎖部材駆動手段(21B) と、前記信号受信手段(210) が前記両側に配置されたスロットマシン(１)の少なくとも一方から前記不正検知信号を受信すると、前記閉鎖部材(21A) を閉鎖位置に移動させる紙幣投入口閉鎖手段(250) とが設けられていることを特徴とする。
【発明の効果】
【００１０】
（請求項１の効果）
以上のように構成されている本発明は、以下に記載されるような効果を奏する。
すなわち、請求項１記載の発明によれば、不正行為が行われた際にスロットマシンから出力される不正検知信号を受信する信号受信手段と、この信号受信手段が不正検知信号を受信すると、ベルトの強制停止を行う強制停止手段とを設け、隣接するスロットマシンに対して不正行為がなされると、搬送ベルト装置のベルトが強制的に停止されるようにしたので、隣接するスロットマシンに不正行為がなされて、メダル貸出機にも不正行為がなされる蓋然性が非常に高い状況になると、メダル貸出機に不正行為がなされる前に、メダルを外部へ移送するベルトが停止されてしまう。このため、メダル貯留装置を誤作動させる等の不正行為を行っても、メダルを外部に取り出すことができない。これにより、不正行為が及ぶ蓋然性が非常に高いに状況になると、事前に不正行為に対して適切な措置を行うことができる。
【００１１】
しかも、スロットマシンに不正行為を行った者（以下、「不正行為者」という。）が、スロットマシンへの不正行為によってメダル貸出機のベルトが意図的に停止されたことに気が付かず、メダル貸出機が故障したものと思い込み、スロットマシンの管理者等にメダル貸出機の修理を申し出れば、その時点で、不正行為者を現行犯で取り押さえることができる。
（請求項２の効果）
請求項２記載の発明によれば、上記した請求項１記載の発明の効果に加え、次のような効果を奏する。
【００１２】
すなわち、請求項２記載の発明によれば、ベルトの上方に複数のメダルが通過可能となった一括投入口を設けたので、一括投入口のサイズを複数のメダルがまとめて投入可能なサイズにすれば、遊技者は、一括投入口から複数のメダルをまとめて投入することができる。そして、一括投入口に複数のメダルを投入した後、搬送ベルト装置のベルトを作動させれば、スロットマシンにメダルが一枚ずつ自動的に投入されるようになる。これにより、遊技者は、メダルを一枚ずつスロットマシンの一括投入口に投入していく煩雑さから開放されるようになり、遊技者の遊技における便宜を図ることができる。
ここで、信号受信手段が不正検知信号を受信した後、搬送ベルト装置に対してベルトを起動すべき旨を指令するベルト起動信号が発信されると、シャッタが一括投入口を強制的に閉鎖するようにしたので、一括投入口のサイズを複数のメダルがまとめて投入可能なサイズにしても、不正行為により一括投入口が閉鎖され、メダル貯留装置の作動によりベルトの上に排出されたメダルを取ることができず、従って、不正行為を行った者がメダルを獲得することを未然に防止することができる。
【００１３】
（請求項３の効果）
請求項３記載の発明によれば、上記した請求項１又は２記載の発明の効果に加え、次のような効果を奏する。
すなわち、メダル貸出機で両側のスロットマシンのいずれかにもメダルを貸し出せるようにすると、１台のスロットマシンにメダルを貸し出す場合よりも、当該メダル貸出機に不正行為が行われる可能性が高くなるが、請求項３記載の発明によれば、両側に配置されたスロットマシンから出力される不正検知信号のいずれもが信号受信手段で受信可能となるうえ、信号受信手段が両側のスロットマシンの少なくとも一方から不正検知信号を受信すると、強制停止手段がベルトを強制停止するようになるので、両側のスロットマシンの一方に対して不正行為が行われた時点で、ベルトが強制停止されるようになる。
【００１４】
従って、両側のスロットマシンにメダルを貸し出すようにしても、不正行為の蓋然性が非常に高いに状況になれば、メダル貸出機に不正行為がなされる前に、搬送ベルト装置のベルトが停止して作動不能となり、この後、メダル貯留装置を誤作動させる等の不正行為をメダル貸出機に対して行っても、メダルを取り出すことができない。これにより、不正行為の蓋然性が非常に高い状況になる可能性が高くなっても、事前に不正行為に対して適切な措置をとることができる。
しかも、両側のスロットマシンのうち、一方のスロットマシンで、一般の遊技者が適正に遊技を行っている状況において、他方のスロットマシンで不正行為者が不正行為を行ったために、メダル貸出機のベルトが停止した場合、一般の遊技者は、メダル貸出機のベルトが停止したことに気付き、メダル貸出機の復旧をスロットマシンの管理者等に依頼することとなる。ここで、隣の遊技者がスロットマシンの管理者等に対してメダル貸出機の復旧を依頼したことに気が付けば、その時点で、不正行為者は、不正行為によりスロットマシンからメダルを獲得するのをあきらめて退散し、不正行為による損害を最低限に抑えることができる。さらに、隣の遊技者が復旧依頼をしたことに不正行為者が気付かない場合には、スロットマシンの管理者等がメダル貸出機を復旧しにきたときに、不正行為者を現行犯で取り押さえることができる。
【００１５】
（請求項４の効果）
請求項４記載の発明によれば、上記した請求項３記載の発明の効果に加え、次のような効果を奏する。
すなわち、請求項４記載の発明によれば、紙幣カウンタの紙幣投入口を閉鎖可能な閉鎖部材を設け、スロットマシンの少なくとも一方から不正検知信号を受信すると、紙幣投入口閉鎖手段が閉鎖部材駆動手段を作動させ、閉鎖部材で紙幣カウンタの紙幣投入口を閉鎖するようにしたので、スロットマシンの少なくとも一方で不正行為が行われると、メダル貸出機のベルトが停止するとともに、紙幣カウンタの紙幣投入口が閉鎖される。
【００１６】
ここで、両側のスロットマシンのうち、一方のスロットマシンで、一般の遊技者が適正に遊技を行っている状況において、他方のスロットマシンで不正行為者が不正行為を行ったために、メダル貸出機のベルトが停止すると、一般の遊技者もメダルの貸出を受けることができなくなり、紙幣投入口を開放したままにしておくと、一般の遊技者がメダル貸出機に紙幣を投入していまい、投入した紙幣が無駄になるが、紙幣カウンタの紙幣投入口が閉鎖されるので、一般の遊技者がメダル貸出機に紙幣を投入することができず、紙幣の無駄を未然に防止することができる。
【発明を実施するための最良の形態】
【００１７】
以下に、本発明を実施するための最良の形態である一実施形態について、図面に基づいて説明する。
図１〜図１０は、本発明に係る一実施形態を示すものである。図１は、本実施形態に係るスロットマシン及びメダル貸出機を示す正面図及び平面図、図２は、本実施形態に係るスロットマシン及びメダル貸出機を示す斜視図、図３は、本実施形態に係るメダル貸出機の要部を示す拡大斜視図、図４は、本実施形態に係るスロットマシンの要部を示す拡大斜視図、図５は、本実施形態に係るメダル貸出機の要部を示す拡大断面図、図６は、本実施形態に係る貸出ノズルを示す拡大断面図、図７は、本実施形態に係る貸出ノズルを示す拡大斜視面図、図８は、本実施形態に係る駆動制御装置の概略構成を示すブロック図、図９は、本実施形態に係る不正行為検知手段の概略構成を示すブロック図、図１０は、本実施形態に係る不正行為検知時動作制御手段の概略構成を示すブロック図である。
【００１８】
図１及び図２において、本実施形態に係るメダル貸出機２は、遊技を行うためにメダルの投入が必要なメダル遊技機であるスロットマシン１で遊技を行う遊技者に、メダルを貸し出すためのものである。このようなメダル貸出機２は、遊技場に設置されている２台のスロットマシン１の間に配置されるようになっている。
ここで、メダル貸出機２には、２つの動作モードが設定されている。その一方は、両側に配置された２台のスロットマシン１のうち、遊技場の係員等が指定した一方のスロットマシン１へのみ、メダルの投入が可能な片側供給モードである。そして、他方の動作モードは、２台のスロットマシン１のいずれかへもメダルの投入が可能な両側供給モードである。そして、これら２つの動作モード、すなわち、片側供給モード及び両側供給モードは、遊技場の係員等によるキースイッチ操作により、一方から他方へ切り換えることが可能となっている。
【００１９】
このようなメダル貸出機２の筐体である外箱20は、スロットマシン１とともに整列配置できるように、スロットマシン１の筐体４に対応した高さ及び奥行きに設定されるとともに、スロットマシン１の筐体４よりも幅が狭くされたものとなっている。
以下に、メダル貸出機２及びスロットマシン１について説明するが、メダル貸出機２について詳細に説明する前に、まず、スロットマシン１について簡単に説明する。
なお、以下の説明において、「前方向」や「手前方向」とは、スロットマシン１に向かって、奥から手前へ向かう方向、換言すると、スロットマシン１の筐体４の奥行き方向に沿って近づく方向をいう。
【００２０】
反対に、「後方向」や「奥方向」とは、スロットマシン１に向かって、手前から奥へ向かう方向、換言すると、スロットマシン１の筐体４の奥行き方向に沿って遠ざかる方向をいう。また、「左方向」及び「右方向」とは、それぞれスロットマシン１又はメダル貸出機２に向かった場合の右方向及び左方向をいう。
（スロットマシン１の概要）
本実施形態に係るスロットマシン１は、図１及び図２に示すように、前面が開口された略六面体の箱状に形成され筐体４と、筐体４の前面開口を塞ぐために筐体４に回動可能に取り付けられた前扉13とを備えている。
【００２１】
このうち前扉13は、筐体４の前面開口の上方部分を塞ぐ上部前扉13A と、筐体４の前面開口の下方部分を塞ぐ下部前扉13B とに分割されたものとなっている。
そして、上部前扉13A 及び下部前扉13B は、別々に回動するものであり、下部前扉13B を先に開放しなければ、上部前扉13A を開放できないようになっている。
このような前扉13には、筐体４の内部に設けられた図示しない回転リールの図柄を外部に露出させるための図柄表示窓14が形成されている。この図柄表示窓14の下方となる前扉13の上下方向における略中央部分には、スロットマシン１の遊技操作を行うための操作部16が設けられ、この操作部16にスタートスイッチ16A 及びストップスイッチ16B 等の操作用の機器が設置されている。
【００２２】
そして、この操作部16の図２中右方の端部近傍には、遊技メダルを投入するためのメダル投入部10が設けられている。
なお、筐体４の内部におけるメダル投入部10の下方には、特に図示しないが、遊技メダルの真贋を判断すると共に投入メダルをカウントするためのメダルセレクターが設けられている。
また、前扉13の下部には、払い出しメダルを貯留可能な下皿15が設けられている。
メダル投入部10は、図１及び図２に示すように、細長いスリット状に形成されて、上方から遊技メダルを１枚ずつ投入可能なメダル投入口としての上部投入開口11と、上部投入開口11の側方に凹溝状に連通する側方移送通路12A, 12Bとを備えたものとなっている。
【００２３】
側方移送通路12A は、メダル貸出機２に隣接する部分である、スロットマシン１の右方の側縁部分から上部投入開口11まで、メダルを立てた状態で回転させながら導く移送通路である。換言すると、側方移送通路12A は、図１〜図３に示すように、スロットマシン１がメダル貸出機２の左側に配置された場合に、図１〜図３において左方を向いて開口されたメダル貸出機２のメダル排出口66A から排出される遊技用のメダルを上部投入開口11まで導くものである。
また、側方移送通路12B は、メダル貸出機２に隣接する部分である、スロットマシン１の左方の側縁部分から上部投入開口11まで、メダルを立てた状態で回転させながら導く移送通路である。換言すると、側方移送通路12B は、図１及び図４に示すように、スロットマシン１がメダル貸出機２の右側に配置された場合に、図１において右方を向いて開口されたメダル排出口66B から排出される遊技用のメダルＭを、図４の如く、上部投入開口11まで導くものである。
【００２４】
ここで、上部投入開口11がスロットマシン１の右方の側縁近傍に設けられていることから、スロットマシン１の左方の側縁部分から上部投入開口11まで延びる側方移送通路12B の方が側方移送通路12A よりも長くなっている。
なお、側方移送通路12B の底面には、図４中左側の端部から上部投入開口11側の端部へ向かって下り勾配が設けられている。このような底面の下り勾配により、メダルＭは、側方移送通路12B の図４中左側の端部から上部投入開口11まで確実に到達するようになっている。
スロットマシン１は、メダルを投入して遊技を開始し、遊技結果によってはメダルを遊技者に払い出すものとなっている。更に具体的に説明すると、スロットマシン１は、遊技者がメダル投入部10から遊技メダルを投入し、スタートスイッチ16A を操作することにより、回転リールの回転を開始するとともに、内部で当否抽選を行うようになっている。
【００２５】
回転を開始した回転リールは、遊技者がストップスイッチ16B を操作することにより、回転を停止するになっている。
ここで、スロットマシン１は、通常遊技中に行われた当否抽選の結果、ボーナスゲーム等の大当たり役に当選することにより、図柄表示窓14に表示された回転リールの図柄が所定の組合せとなるように、遊技者が回転リールを停止させること、換言すると、遊技者が入賞を引き当てることが可能性となっている。
そして、スロットマシン１は、大当たり役に当選した遊技状況で、遊技者が停止させた回転リールの図柄が所定の組合せとなると、遊技者が入賞を引き当てたこととなり、通常遊技に比べて短時間に大量のメダルを獲得することが可能な大当たり遊技を行うことができるように構成されている。
【００２６】
この際、メダル貸出機２の左右に配置されたスロットマシン１各々は、不正行為を検知する不正行為検知手段（図示略）を備えたものとなっている。
各スロットマシン１の不正行為検知手段は、上部投入開口11の内部に特殊な器具を挿入してメダルの貯留量であるクレジットを不正に増やす、いわゆる「クレマンゴト」、筐体４の内部に針金状の器具を挿入してメダルを払い出すホッパユニット（図示略）を不正に作動させてメダルを獲得する「ホッパゴト」、予め設定された振動数で機械的に振動する体感器で、内部抽選における当選のタイミングを把握しながら遊技を行う「体感器ゴト」及び、特殊な工具を使用する等により当選確率がより高い設定へ不正に変更する「設定変更ゴト」等の不正行為を検出するものとなっている。
【００２７】
そして、各スロットマシン１は、その不正行為検知手段が不正行為を検知すると、不正検知信号をホールコンピュータ及びメダル貸出機２の両方へ送出する機能を備えたものとなっている。
（メダル貸出機２）
メダル貸出機２は、前述したようにスロットマシン１の間に配置され、いずれの側のスロットマシン１に対してもメダルを貸し出すことが可能なものとなっている。このために、メダル貸出機２の前面20A には、図２に示すように、貸し出されるメダルの代金としての紙幣が投入される紙幣投入口21が設けられている。
【００２８】
そして、メダル貸出機２は、スロットマシン１の側面側に隣接して設置される箱型の装置であって、紙幣、例えば、千円札が紙幣投入口21に投入されると、その千円札と引き替えに遊技者に遊技メダルを貸し出すものである。また、メダル貸出機２には、必要に応じて、貸し出したメダルをスロットマシン１のメダル投入部10に連続的且つ自動的に投入する機能が備えられている。
すなわち、メダル貸出機２は、図２に示すように、遊技者等が投入した紙幣を検査し、検査した紙幣を内部に貯留する紙幣カウンタ22と、投入された紙幣の金額に応じて遊技者にメダルを払い出す貸出メダル払出装置25と、外箱20の前面20A から突出するように取り付けられるとともに、メダルをスロットマシン１に連続投入するためのメダル投入装置３と、このメダル投入装置３の動作を制御する駆動制御装置280 とを備えたものである。
【００２９】
なお、遊技場の係員等によるキースイッチ操作は、例えば、駆動制御装置280 に対して行われる操作であり、具体的には、図示しないキースイッチ装置に係員等がキーを挿入することにより行われるように構成されている。
紙幣カウンタ22は、外箱20の前面下端の近傍に設けられた紙幣投入口21から内部に投入された紙幣を検査し、更に詳しく説明すると、紙幣の表面に印刷された図柄模様を読み取り、真正の紙幣であることを認識すると、メダルの貸出動作を要求することを示すメダル貸出要求信号を出力するものである。
この紙幣カウンタ22には、紙幣投入口21に投入された紙幣の表面に印刷された図柄模様を読み取るための図示しない紙幣センサと、紙幣投入口21を閉鎖可能なサイズに形成された閉鎖部材21A と、紙幣投入口21を閉鎖する閉鎖位置及び紙幣投入口21を開放する開放位置の二位置の間に渡って閉鎖部材21A を駆動可能な閉鎖部材駆動手段であるソレノイド21B と、紙幣投入口21に紙幣が投入されたことを検知するために、紙幣投入口21の近傍に配置された図示しない紙幣投入センサとが設けられている。
【００３０】
このような紙幣カウンタ22は、紙幣センサが出力する信号に基づいて、投入された紙幣が正規のものであるか否かを判定するとともに、当該紙幣の種類を判定する機能を有し、投入された紙幣が真正である場合には、前述のメダル貸出要求信号に加えて、紙幣の額に応じた紙幣信号を出力するものとなっている。
また、紙幣カウンタ22は、紙幣投入口21に紙幣が投入されると、前述の紙幣投入センサが紙幣投入信号を出力するようになっている。
そして、貸出メダル払出装置25は、紙幣カウンタ22がメダル貸出要求信号及び紙幣信号を出力すると、紙幣信号に応じた枚数のメダルを遊技者に貸し出すものとなっている。
【００３１】
なお、メダル貸出機２としては、紙幣投入口21及び紙幣カウンタ22に加えて、硬貨投入口や硬貨カウンタ、及び、釣り銭払い出し口、更には、プリペイドカード投入口とカードリーダーとを備えたものでもよい。
貸出メダル払出装置25は、複数のメダルを貯留するとともに、後述するメダル移送装置40の無端ベルト53の上に、貯留しているメダルを排出可能に形成されたメダル貯留装置である。具体的には、貸出メダル払出装置25は、紙幣カウンタ22からのメダル貸出要求信号及び紙幣信号を受信すると、その内部に貯留していたメダルの払い出しを行う、いわゆるホッパー装置となっている。
【００３２】
この貸出メダル払出装置25には、特に図示していないが、多数のメダルを貯留しておくためのタンクと、このタンクの底部からメダルを１枚ずつ排出する送出円板と、この送出円板を回転駆動する駆動モータと、排出されるメダルをカウントするためのメダルセンサとが設けられている。
このうち、送出円板には、メダルが入り込む複数の孔が形成されている。そして、前述の駆動モータで送出円板が回転駆動されると、送出円板の孔に入ったメダルが１枚ずつ貸出メダル払出装置25の外へ排出されるようになっている。
また、貸出メダル払出装置25は、メダルセンサがカウントしたメダル枚数が所定値に達すると、駆動モータを停止させ、メダルの払い出しを停止するとともに、後述するメダル移送装置40に無端ベルト53の作動を開始させるためのベルト起動信号を出力するように構成されている。
【００３３】
（メダル投入装置３）
メダル投入装置３は、貸出メダル払出装置25から、あるいは、遊技者の手から複数のメダルをまとめて受けるとともに、受けた複数のメダルをスロットマシン１のメダル投入部10へ連続的に投入するための機能を有するものである。
具体的には、メダル投入装置３は、図３及び図５に示すように、メダル貸出機２の外箱20の前面に突出するように取り付けられたカバー体30と、このカバー体30の内部に設けられるとともに、メダルを送り出すためのメダル移送装置40（図５にのみ示す）と、外箱20の前面から突出するカバー体30の先端部分に設けられるとともに、スロットマシン１のメダル投入部10側へ導くために、メダルの移動方向及び姿勢を変換する導入路装置60とを備えたものとなっている。
【００３４】
（カバー体30）
カバー体30は、図３及び図５の如く、外箱20の上下方向における略中央部分において、外箱20の前面20A から手前方向に突出する箱形部材である。
このカバー体30には、図５の如く、複数のメダルをまとめて内部に投入するために上方に開口された一括投入口31が形成されるとともに、この一括投入口31から投入されたメダルを一時的に貯留するためのメダル貯め部44が内部に設けられている。そして、このカバー体30の内部には、メダル貯め部44に貯留されているメダルをメダル移送方向の下流側へ連続的に移送可能なメダル移送装置40が収納されている。なお、遊技者の遊技を行う際の便宜を図るため、一括投入口31のサイズは、複数のメダルをまとめて投入するのに充分な大きさとなっている。
【００３５】
カバー体30における一括投入口31の手前には、図３の如く、周縁部分に対して中央部分が凹まされるとともに、周縁部分から一括投入口31に向かって緩やかに傾斜した下り勾配を有する皿状部32が形成されている。
この皿状部32は、一括投入口31の手前側及び側方に向かって延出している。皿状部32の周縁部分は、内側よりも高く形成された堰部272 となっている。この堰部272 は、一括投入口31の一方の側部から手前部分を経由して他方の側部に達するＵ字状に延びるとともに、平坦な上面を有するものとなっている。
ここで、カバー体30には、図５に示すように、一括投入口31を閉鎖するためのシャッタ33が摺動可能に設けられている。
【００３６】
更に具体的に説明すると、シャッタ33は、一括投入口31を閉鎖可能なサイズに形成されたものである。そして、シャッタ33は、一括投入口31を閉鎖する閉鎖位置Ｕと、一括投入口31を開放する開放位置Ｖとの間を摺動可能となったものであり、開放位置Ｖに配置されている場合には、皿状部32の下方に隠蔽されるようになっている。
また、カバー体30の内部には、シャッタ33の両面にそれぞれ摩擦係合する一対のローラ34A, 34Bと、一対のローラ34A, 34Bの少なくとも一方を駆動してシャッタ33を移動させるシャッタ駆動手段であるシャッタ・モータ35と、ローラ34A, 34Bの少なくとも一方にシャッタ・モータ35の駆動トルクを伝達する図示しない歯車群とが設けられている。
【００３７】
そして、シャッタ33は、遊技場の係員等がキースイッチ操作を行い、片側供給モードから両側供給モードへ動作モードを切り換えると、閉鎖位置Ｕへ移動され、一括投入口31を閉鎖するようになっている。
反対に、シャッタ33は、両側供給モードから片側供給モードへ動作モードが切り換えられると、開放位置Ｖへ移動され、一括投入口31を開放するようになっている。
以上において、シャッタ・モータ35は、一括投入口31を閉鎖する閉鎖位置Ｕ及び一括投入口31を開放する開放位置Ｖの二位置の間に渡ってシャッタ33を駆動可能な駆動手段となっている。
【００３８】
堰部272 の平坦な上面には、金属等の導電性を有する材質からなる接触センサ274 が、堰部272 の上面に沿ってＵ字状に延びるように敷設されている。この接触センサ274 は、メダル移送装置40の起動及び停止の操作を行うための接触作動スイッチである。
すなわち、メダル貸出機２の動作モードが片側供給モードであるときに、接触センサ274 に手を触れることにより、接触センサ274 からベルト起動信号が出力されて、メダル移送装置40に設けられた後述する駆動モータ55が起動され、接触センサ274 に触れている手を離すことにより、駆動モータ55が停止するようになっている。
さらに詳しく説明すると、メダル移送装置40の駆動モータ55は、接触センサ274 に継続して触れている時間が予め定められた連続操作時間に満たない場合には、起動してから３枚のメダルを移送すると停止し、接触センサ274 に継続して触れている時間が連続操作時間を超えた場合には、３枚を超える枚数のメダルを連続的に移送するように設定されている。なお、メダル貸出機２の動作モードが両側供給モードのときには、接触センサ274 に手を触れても、駆動モータ55が起動しないようになっている。
【００３９】
（排出機構80）
外箱20の前面から突出するカバー体30の根本部分の下方には、図５の如く、メダル移送装置40から排出される異物やキャンセルメダルを受け止めるためのメダル取り出し皿90が回動軸95によって軸支されている。このメダル取り出し皿90は、その内部がメダル移送装置40から排出される異物やキャンセルメダルを収納する排出収納部93となっており、カバー体30の底部において上下に揺動可能となっている。
ここで、排出収納部93の上方には、カバー体30の底面に開口されたキャンセル開口49が設けられ、このキャンセル開口49のさらに上方には、メダル貯め部44の底部に形成されるとともに、当該メダル貯め部44とその下方のキャンセル開口49側の空間とを連通させるためのリセット排出口85が設けられている。
【００４０】
このうち、リセット排出口85は、当該リセット排出口85に応じた平板状に形成された開閉板82によって開閉されるようになっている。また、リセット排出口85のさらに図５中左斜め上方には、カバー体30に開口された一括投入口31が位置している。
キャンセル開口49は、上方に跳ね上げられたメダル取り出し皿90によって閉鎖されるようになっている。
すなわち、メダル取り出し皿90は、図示しないバネにより、メダル取り出し皿90を跳ね上げる方向に、換言すると、キャンセル開口49を閉鎖する方向に向かって付勢されている。これにより、キャンセル開口49は、常時閉鎖されるようになっている。一方、バネの付勢力に抗してメダル取り出し皿90を手等で押し下げれば、キャンセル開口49は、開放されるようになっている。必要に応じて、メダル取り出し皿90を手等で押し下げ、キャンセル開口49を開放して、メダル取り出し皿90の排出収納部93に溜まった貯留物をすべて取り除いた後、メダル取り出し皿90を押し下げていた力を抜けば、メダル取り出し皿90が自動的に閉じるようになっている。
【００４１】
これにより、スロットマシン１の上下に分割された前扉13のうち、図１（Ｂ）の如く、下方に配置された下部前扉13B を開く際に、メダル取り出し皿90が開くことがなく、下部前扉13B の回動範囲に突出して回動の邪魔になることを未然に防止することができる。
なお、メダル取り出し皿90としては、バネによる付勢力で自動的に復帰する自己復帰機構を備えていないものでもよく、閉じた状態及び開いた状態との２位置において凹部及び凸部が互いに係止しあい、メダル取り出し皿90を停止させる係止機構を備えたもの、単に、回動軸95によって開閉可能に軸支されているだけで、自重により、開いた状態を維持しているものでも良い。メダル取り出し皿90は、手で押し上げることにより、図５において二点鎖線で示すように、閉じた状態にすることができる。これにより、正面から向かって右隣に配置された別のスロットマシン１に設けられた下側の扉を開放する際、手でメダル取り出し皿90を閉じた状態にして、開放する下扉の邪魔になることを回避することができる。
【００４２】
開閉板82は、図５の如く、カバー体30側に軸支された回動軸84がソレノイド操作機81のプランジャ83に連結され、ソレノイド操作機81に電流を導通させることにより、リセット排出口85を閉鎖する位置及び開放する位置の一方から他方へ回動駆動されるようになっている。
これら開閉板82及びソレノイド操作機81により、メダル移送装置40の内部にあるメダルや異物などを、カバー体30の底面に形成されたキャンセル開口49から排出させる排出機構80が形成されている。
この排出機構80の作動により、一括投入口31を通じてメダル貯め部44に投入されたメダルがメダル取り出し皿90に排出されるようになっている。
【００４３】
また、遊技場の管理者等がゴミ等の貯留物を回収する際に、排出機構80を作動させた後、メダル取り出し皿90を手前側に回転させることにより、メダル取り出し皿90に溜まった貯留物を手で簡単に取り出すことができるようになっている。
（メダル移送装置40）
メダル移送装置40は、図５に示すように、その表面にゴム等の被覆がなされた帯状部材を環状に形成した無端ベルト53と、この無端ベルト53を循環駆動するための駆動モータ55とを備えたものである。この無端ベルト53は、メダル貯め部44の底部を形成するものであり、循環駆動されることにより、メダル貯め部44に貯留されたメダルを送り出すものとなっている。換言すると、メダル移送装置40は、正回転方向へ回転駆動されると、隣接するスロットマシン１に向かってメダルを送り出すベルトである無端ベルト53を有する搬送ベルト装置となっている。
【００４４】
ここで、メダル貯め部44の上方であって、一括投入口31の奥側となる部分には、貸出メダル払出装置25から送出されてきたメダルを、メダル貯め部44に取り入れるための貸出メダル受入口42が設けられている。これにより、メダル貯め部44は、一括投入口31から投入されたメダル、及び、貸出メダル受入口42から投入されたメダルの両方を一時的に貯留するための空間となっている。
また、一括投入口31の奥行き方向におけるほぼ中央部分には、両側の側面を連結する仕切棒100 が設けられている。この仕切棒100 は、メダル貯め部44にメダルが投入される際に、メダルをほぼ所定の姿勢に揃えるためのものである。
【００４５】
すなわち、メダルが一括投入口31を通過する際に、メダルの姿勢が縦向き（メダルの表裏面と仕切棒100 との交差角度が直角に近い状態）となっていると、仕切棒100 がメダルの落下経路上における障害物となり、そのままの姿勢でメダルが一括投入口31を通過するのを抑制するようになっている。
一方、メダルが一括投入口31を通過する際に、メダルの姿勢が横向き（メダルの表裏面と仕切棒100 とが平行に近い状態）となっていると、仕切棒100 がメダルの落下経路上における障害物とならず、メダルの一括投入口31の通過を許容するようになっている。そして、仕切棒100 が一括投入口31を通過するメダルの姿勢を整えることにより、一括投入口31を通ったメダルが、その下方のメダル貯め部44に落下すると、他のメダルの上に平積みとなり、これにより、無端ベルト53による移送が容易に行えるようになっている。
【００４６】
（無端ベルト53の循環機構）
無端ベルト53を循環させる循環機構は、導入路装置60側及びメダル貯め部44側のそれぞれに配置された二つのローラ51A, 51Bと、これらのローラ51A, 51Bのうち、導入路装置60側に配置されたローラ51A を介して無端ベルト53を駆動するための駆動モータ55と、この駆動モータ55の駆動力をローラ51A に伝達するための図示しない減速ギア群とを備えたものとなっている。
二つのローラ51A, 51Bは、その間に無端ベルト53が掛け渡される二つのベルト車となっており、ローラ51A の方がローラ51B よりも若干高い高さレベルに配置され、無端ベルト53の移送面を手前側に向かってやや上り勾配となるように傾斜させている。
【００４７】
これら二つのローラ51A, 51Bのうち、駆動モータ55に駆動されるローラ51A の上方には、駆動モータ55によって駆動されるとともに、ローラ51A と同じ回転方向に回転駆動される余剰メダル排除ローラ52が設けられている。
余剰メダル排除ローラ52は、その外周面に、その回転軸の軸方向に延びる撹拌溝58が形成されたものとなっている。無端ベルト53は、余剰メダル排除ローラ52を回転駆動させて、撹拌溝58に無端ベルト53の上方のメダルを攪拌させることにより、メダルの滞留を防止してメダルの効率よい移送が行えるようになっている。
このような余剰メダル排除ローラ52の外周面と、無端ベルト53のメダルを載置させる移送面とが形成する隙間54は、メダル１枚の厚みよりも大きく、メダル２枚分の厚みよりは小さい寸法となっている。
【００４８】
また、余剰メダル排除ローラ52は、その外周面における径方向の移動速度が、無端ベルト53の移送面の移動速度よりも早くなるように設定されている。
さらに、余剰メダル排除ローラ52がローラ51A, 51Bと同一方向に回転するので、互いに対向する無端ベルト53の移送面と余剰メダル排除ローラ52の外周面とは、その移動方向が互いに逆になっている。
そして、無端ベルト53に移送されてきたメダルが複数枚重なった状態で余剰メダル排除ローラ52に接近すると、一番下の１枚の遊技メダルを残して、２枚目より上の遊技メダルは、余剰メダル排除ローラ52によって、余剰メダル排除ローラ52の上流側に設けられた空間であるメダル戻り部45へ向かって弾き飛ばされるようになっている。
【００４９】
また、図５において、一括投入口31の左側の端縁部分には、一括投入口31から投入されたメダルがメダル戻り部45へ進入することは制限するが、余剰メダル排除ローラ52によって弾き飛ばされてメダル戻り部45に達したメダルがさらに上流側へ後退することは許容する移動調整弁43が設けられている。
すなわち、無端ベルト53の上方には、平板状の移動調整弁43が垂れ下がった状態で揺動自在に軸支されている。
また、無端ベルト53の進行方向に向かって左右両側に位置する内側面41には、移動調整弁43に向かって突出するストッパ43C が設けられている。このストッパ43C は、垂れ下がり状態における移動調整弁43のメダル戻り部45側の面に係合するものとなっている。移動調整弁43は、先端部分がストッパ43C に係止されるので、メダル貯め部44側へは回動可能とされ、メダル戻り部45側へは回動不可能となっている。
【００５０】
ここで、移動調整弁43がメダル貯め部44からメダル戻り部45へメダルが前進することを阻止し、無端ベルト53によって移送されたメダルが隙間54に進入する際に、一括投入口31から投入されたメダルが割り込むことを防止するので、無端ベルト53によって移送されたメダルのみが隙間54に到達可能となっている。これにより、無端ベルト53によって移送されてきた複数のメダルは、１枚ずつ移送方向下流側の導入路装置60へ円滑に送り出されるようになっている。
一方、移動調整弁43は、メダル戻り部45からメダル貯め部44へのメダルが後退することを適宜許容するので、重なった複数のメダルのうち、上方に配置されていた余剰なメダルが余剰メダル排除ローラ52によってメダル戻り部45側へ向かって弾き飛ばされると、移動調整弁43を押し開いて、速やかに、メダル貯め部44に戻るようになっている。
【００５１】
なお、移動調整弁43は、垂れ下がり状態において、その先端と無端ベルト53の移送面との間隔が、メダルの直径よりも長くなるように設定されている。これにより、メダルが移動調整弁43の下方を起立状態で通過する際に、移動調整弁43が障害物とならず、起立状態となっていてもメダルが移動調整弁43の下方をスムーズに通過可能となっている。
また、余剰メダル排除ローラ52には、図示しないワンウェイ・クラッチ等の内部機構を介して駆動トルクが加わるようになっている。このため、無端ベルト53を逆回転する場合には、図示しないワンウェイ・クラッチ等の内部機構により、余剰メダル排除ローラ52が回転しないようになっている。
【００５２】
さらに、無端ベルト53から導入路装置60まで至る途中において、余剰メダル排除ローラ52の取り付け位置よりもメダルの移送方向における下流側の位置に、特に図示していないが、無端ベルト53の両側で互いに対向する壁面の各々から突出するとともに、無端ベルト53の移送面に先端が接し、且つ、互いの先端の間にメダル一枚分の間隔が形成された一対の突出体を形成しても良い。このような一対の突出体を設ければ、無端ベルト53によって移送されてきたメダルが幅方向における所定位置を通過するようになり、メダルの移送位置を所定の位置に整えることができる。
（導入路装置60）
導入路装置60は、左側に配置されたスロットマシン１の側方移送通路12A 、及び、右側に配置されたスロットマシン１の側方移送通路12B のいずれかにメダルを導入するための装置である。
【００５３】
導入路装置60には、図５に示すように、無端ベルト53によって移送されてきたメダルを受け入れる受入部63と、メダルの導入先を切り換える切換部70と、メダル投入装置３の前面下部を覆って受入部63を内部に隠蔽するカバー部材61とが設けられている。
このうち、受入部63は、図５中上端が無端ベルト53側へ湾曲した姿勢誘導板62A と、この姿勢誘導板62A に対向して配置された平板状の通路形成板62B と、姿勢誘導板62A 及び通路形成板62B の間に形成された通路部65とを備えたものとなっている。
このような受入部63は、メダルを姿勢誘導板62A に沿わせて移動させることにより、無端ベルト53の移送面の上に倒れた状態で移送されてきたメダルを起し、通路部65を通じてメダルを下方の切換部70へ落下させながら切換部70へと導くものである。
【００５４】
姿勢誘導板62A の図５における下端近傍部分には、通路部65内をメダルが通過したか否かを検知するための近接センサ64が設けられている。
近接センサ64は、メダルの接近を検知する応答性能が比較的良好なものである。このような近接センサ64は、メダルが近接センサ64の近傍を通過すると、メダルを検知した旨を示す検知信号を一時的に出力するものである。そして、メダルが詰まると、近接センサ64からメダルの検知信号が連続的に出力されるようになっている。これにより、メダルの通過及びメダル詰まりの両方が検知可能となっている。
このような近接センサ64としては、検出領域内の磁界の変化を検出する誘導形近接スイッチ、検出領域内の電界の変化を検出する静電容量形近接スイッチ、及び、光線の反射又は遮断を検出する光学近接スイッチ等の非接触式近接スイッチを採用するのが好ましいが、非検出物と直接接触することによって検出を行う機械式の近接スイッチ、いわゆるリミットスイッチを採用することもできる。
【００５５】
また、近接センサ64の検知信号は、メダル貸出機２の図示しない制御部に受信され、メダル貸出機２の制御部は、受信した検知信号に基づいてメダル移送の異常を検知するようになっている。
例えば、通路部65の内部で遊技メダルが詰まると、近接センサ64は、検知信号を出力し続けるようになっている。そして、メダル貸出機２の制御部は、近接センサ64からの検知信号を連続的に受信すると、メダル移送に異常が生じたと判断し、すべての動作を一時的に停止させるとともに、遊技者に対して、メダルが詰まったので、係員等を呼ぶことを促すための音声を出力する、あるいは、その旨の表示を行うように設定されている。
【００５６】
（切換部70）
切換部70は、両側のスロットマシンの一方から他方へメダルの供給先を切り換えるメダル供給切換機構である。
すなわち、切換部70は、図３に示すように、一方側のスロットマシン１の方向を向く位置から、他方側のスロットマシン１の方向を向く位置の２位置間を移動可能に形成され、いずれかのスロットマシン１の上部投入開口11にメダルを投入するための貸出ノズル71を備えたものである。そして、切換部70には、図５に示すように、貸出ノズル71の先端部分を両側のスロットマシン１のうちの一方側のスロットマシン１から他方側のスロットマシン１へ駆動させるための駆動装置72が設けられている。
【００５７】
このうち、貸出ノズル71は、図５の如く、カバー部材61に回動可能に取り付けられている回動部材73の周面に突設されている。換言すると、貸出ノズル71は、その基端部分がカバー部材61に回転可能に取り付けられたものとなっている。
一方、駆動装置72は、薄型モータを含んで構成されたものであり、回動部材73の下方に配置されている。駆動装置72の駆動軸72A は、回動部材73の底部に連結されている。
図３に戻って、カバー体30の前面における図３中左側に偏った位置には、押しボタン式の貸出スイッチ67A が設けられている。また、カバー体30の前面における図３中右側に偏った位置には、押しボタン式の貸出スイッチ67B が左側の貸出スイッチ67A に対応した高さレベルとなるように設けられている。
【００５８】
これらの貸出スイッチ67A, 67Bは、左右いずれかのスロットマシン１を特定して貸し出しを開始するためのスイッチとなっている。
そして、貸出スイッチ67A を押圧操作することにより、両側のスロットマシン１のうち、図３中左側のスロットマシン１が特定されるようになっている。この貸出スイッチ67A の押圧操作により、駆動装置72は、回動部材73を時計方向へ回動駆動して、貸出ノズル71を特定された図３中左側のスロットマシン１に臨む位置まで貸出ノズル71を移動させることが許容されるようになっている。
一方、貸出スイッチ67B を押圧操作することにより、両側のスロットマシン１のうち、図３中右側のスロットマシン１が特定されるようになっている。この貸出スイッチ67B の押圧操作により、駆動装置72は、回動部材73を反時計方向へ回動駆動して、貸出ノズル71を特定された図３中右側のスロットマシン１に臨む位置まで貸出ノズル71を移動させることが許容されるようになっている。
【００５９】
そして、貸出スイッチ67A, 67Bの上方には、内部でメダル詰まりが生じたこと等を示すエラー表示や、不正行為等により異常が生じたことを知らせるための警報表示を行うことが可能な液晶表示装置275 が設けられている。ここで、カバー体30の内部にブザーを設け、エラー表示又は警報表示を行う際に、ブザーを鳴動させてもよい。
また、切換部70には、貸出ノズル71、駆動装置72及び回動部材73に加えて、図３に示すように、回動部材73の図３中左側に配置されている固定ノズル74A と、回動部材73の図３中右側に配置されている固定ノズル74B とが設けられている。
固定ノズル74A は、図３中左側のスロットマシン１に設けられている側方移送通路12A の右端部と対向するメダル排出口66A が先端に設けられ、当該側方移送通路12A の内部にメダルを送り込む筒状部材である。換言すると、固定ノズル74A は、図３中左側のスロットマシン１に臨む位置に貸出ノズル71が配置された際に、貸出ノズル71と接続されることにより、図３中左側のスロットマシン１に設けられている側方移送通路12A と、貸出ノズル71とを相互に連通する筒状部材である。
【００６０】
ここで、固定ノズル74A 及び固定ノズル74B は、切換部70から、それぞれ対応するスロットマシン１に設けられている側方移送通路12A, 12Bまでの距離に応じて設定された長さ寸法を有するものであり、固定ノズル74B の方が固定ノズル74A よりも長くなっている。
固定ノズル74B は、図１中右側のスロットマシン１に設けられている側方移送通路12B の左端部と対向するメダル排出口66B が先端に設けられ、当該側方移送通路12B の内部にメダルを送り込む筒状部材である。換言すると、固定ノズル74B は、図１中右側のスロットマシン１に臨む位置に貸出ノズル71が配置された際に、貸出ノズル71と接続されることにより、図１中右側のスロットマシン１に設けられている側方移送通路12B と、貸出ノズル71とを相互に連通する筒状部材である。
【００６１】
固定ノズル74A と回動部材73との間には、図３に示すように、貸出ノズル71が固定ノズル74A との接続位置に移動された際に、貸出ノズル71を内部に収納する凹部75A が設けられている。
また、固定ノズル74B と回動部材73との間には、固定ノズル74A 側と同様に、貸出ノズル71が固定ノズル74B との接続位置に移動された際に、貸出ノズル71を内部に収納する凹部75B が設けられている。
以上において、貸出ノズル71が左側のスロットマシン１の方向を向く位置は、凹部75A の内部に設定され、貸出ノズル71が右側のスロットマシン１の方向を向く位置は、凹部75B の内部に設定され、これらの二つの位置は、両方ともメダル貸出機２側に設定されたものとなっている。
【００６２】
そして、凹部75A の奥側に設けられている側面部分は、貸出ノズル71が右側のスロットマシン１の方向を向く位置の近傍となる部位となっている。そして、この凹部75A の側面部分は、回転してきた貸出ノズル71の側部である側面部分と係合して、貸出ノズル71を当該位置に位置決めする係合当接部76A となっている。
また、凹部75B の奥側に設けられている側面部分は、貸出ノズル71が左側のスロットマシン１の方向を向く位置の近傍となる部位となっている。そして、この凹部75B の側面部分は、回転してきた貸出ノズル71の側部である側面部分と係合して、貸出ノズル71を当該位置に位置決めする係合当接部76B となっている。
【００６３】
メダル貸出機２は、係合当接部76A, 76Bの各々によって貸出ノズル71が位置決めされることにより、貸出ノズル71から送り込まれてきたメダルが、固定ノズル74A, 74Bの内部に確実に送り込まれ、ひいては、スロットマシン１の側方移送通路12A, 12Bの内部に確実に取り込まれるように形成されている。
この際、凹部75A には、貸出ノズル71が内部に収納されたことを検出する図示しない左側ノズル近接センサが設けられている。この左側ノズル近接センサは、貸出ノズル71が凹部75A の内部に収納されると、収納検出信号を出力するものとなっている。
また、凹部75A の内部に収納された貸出ノズル71がぐらつかないように、貸出ノズル71及び凹部75A の互いに対向する側面には、互いに吸着し合う向きに磁極が配置された図示しない磁石がそれぞれ設けられている。
【００６４】
一方、凹部75B には、凹部75A と同様に、貸出ノズル71が内部に収納されたことを検出する図示しない右側ノズル近接センサが設けられている。この右側ノズル近接センサは、貸出ノズル71が凹部75B の内部に収納されると、収納検出信号を出力するものとなっている。
また、凹部75B の内部に収納された貸出ノズル71がぐらつかないように、貸出ノズル71及び凹部75B の互いに対向する側面には、互いに吸着し合う向きに磁極が配置された図示しない磁石がそれぞれ設けられている。
なお、駆動装置72は、前述した磁石の吸着力よりも充分強い駆動力を発揮するものが採用され、磁石の吸着力に抗して回動部材73を回動駆動できるようになっている。
【００６５】
回動部材73は、図６及び図７に示すように、回動動作が容易に行えるように、略円柱状に形成された本体部材を備え、この本体部材の内部に略Ｌ字形状に延びるメダル通路73A が形成されたものである。このメダル通路73A の断面内法は、メダルを１枚ずつ通過させるために、メダルの直径及び厚さ寸法に対応したものとなっている。
また、メダル通路73A の一端は、回動部材73の上方の端面に開口され、この開口がメダル入口73B となっている。また、メダル通路73A の他端は、貸出ノズル71の先端部分に開口され、この開口がメダル出口73C となっている。
上方から落下してきたメダルは、メダル入口73B から略Ｌ字形状に延びるメダル通路73A の内部に進入し、メダル通路73A の折れ曲がり部分で進行方向を略水平方向に変換され、メダル出口73C から略水平方向へ排出されるようになっている。
【００６６】
この際、貸出ノズル71が凹部75A, 75Bのいずれかに収納された状態となっているときにのみ、回動部材73の上方の通路部65を通って落下してくるメダルが、メダル入口73B からメダル通路73A の内部へ進入することが可能となっている。そして、この状態となっているときにのみ、メダル通路73A を通過してメダル出口73C から略水平方向へ排出されるメダルが、固定ノズル74A, 74B のいずれかの内部へ進入可能となっている。
そして、貸出ノズル71が凹部75A に収納された状態においては、導入路装置60の通路部65、回動部材73のメダル通路73A 、及び、固定ノズル74A の内部に形成されている通路が接続され、無端ベルト53によってメダル貯め部44から送り出されたメダルを左側のスロットマシン１に設けられた側方移送通路12A の入口まで導く一連のメダル通路を形成するようになっている。
【００６７】
また、貸出ノズル71が凹部75B に収納された状態においては、通路部65、メダル通路73A 、及び、固定ノズル74B の内部に形成されている通路が接続され、無端ベルト53によってメダル貯め部44から送り出されたメダルを右側のスロットマシン１に設けられた側方移送通路12B の入口まで導く一連のメダル通路を形成するようになっている。
以上において、側方移送通路12A, 12Bのうち、左側のスロットマシン１に設けられている側方移送通路12A は、当該スロットマシン１の方向を向く位置に配置された貸出ノズル71から排出されたメダルを、当該スロットマシン１に設けられた上部投入開口11まで導くものとされている。一方、右側のスロットマシン１に設けられている側方移送通路12B は、当該スロットマシン１の方向を向く位置に配置された貸出ノズル71から排出されたメダルを、当該スロットマシン１に設けられた上部投入開口11まで導くものとされている。
【００６８】
（駆動制御装置280）
駆動制御装置280 は、メダルの貸出先を切り換える貸出ノズル71の切換動作、メダルを移送する無端ベルト53のメダル移送動作、一括投入口31を閉鎖するシャッタ33の開閉動作、及び、紙幣投入口21を閉鎖する閉鎖部材21A の開閉動作等、各装置の動作を制御するものである。
このような駆動制御装置280 は、メダル投入装置３の動作を制御するために、マイクロコンピュータを利用したＣＰＵ並びにＲＯＭ及びＲＡＭ等の記憶手段を含んで構成されたハードウェアを備えたものである。駆動制御装置280 のハードウェアには、メダルの貸出動作制御を行うためのソフトウェアがインストールされている。
【００６９】
また、駆動制御装置280 には、両側に配置された２台のスロットマシン１及び当該メダル貸出機２のいずれかで不正行為が行われた際に、その不正行為に対処する動作をさせるべく、無端ベルト53、シャッタ33及び閉鎖部材21A の動作制御を行う不正行為対処制御プログラムがインストール、あるいは、当該動作制御を実現するハードウェアが設置されている。換言すると、駆動制御装置280 には、図８に示すように、メダル貸出機２に対して行われる不正行為を検知するための不正行為検知手段150 と、２台のスロットマシン１及び当該メダル貸出機２のいずれかで不正行為が行われた際にメダル貸出機２の動作を制御する不正行為検知時動作制御手段200 とが設けられている。
【００７０】
そして、駆動制御装置280 は、無端ベルト53を駆動する駆動モータ55、シャッタ33を駆動するシャッタ・モータ35及び閉鎖部材21A を駆動するソレノイド21B のそれぞれを電気的に駆動するベルト用駆動モータドライバ281 、シャッタ・モータドライバ282 及び閉鎖部材用ソレノイドドライバ283 が、その出力ポートに接続され、これらを通じて、駆動モータ55、シャッタ・モータ35及びソレノイド21B の動作を制御するようになっている。
不正行為検知手段150 は、メダル貸出機２に設けられている図示しない電極部の電圧を検出し、検出した電圧、並びに、前述した紙幣カウンタ22からのメダル貸出要求信号及び紙幣投入信号に基づいて不正行為が行われているか否か検知するものである。そして、不正行為検知手段150 は、メダル貸出機２に対して不正行為が行われていることを検知すると、不正行為検知時動作制御手段200 へ不正検知信号を送信するようになっている。
【００７１】
ここで、不正行為検知手段150 によって電圧が検出される電極部としては、当該駆動制御装置280 、紙幣カウンタ22及び貸出メダル払出装置25等の不正行為が行われるおそれのある装置の入出端子そのもの、及び、これらの入出力端子の近傍に設けられた不正行為検出用の電極等が採用されている。
不正行為検知時動作制御手段200 は、不正行為検知手段150 からの不正検知信号等の制御に必要な信号を受信し、受信した信号に基づいて、ベルト用駆動モータドライバ281 、シャッタ・モータドライバ282 及び閉鎖部材用ソレノイドドライバ283 の動作を制御するものとなっている。
【００７２】
ここで、不正行為検知時動作制御手段200 が制御に必要とする信号として、前述の不正行為検知手段150 からの不正検知信号に加えて、以下の信号が不正行為検知時動作制御手段200 に入力されるようになっている。
1.遊技場の係員等によるキースイッチ操作によって両側供給モードに切り換えられた際にキースイッチ装置から出力される両側供給モード信号。
2.キースイッチ操作によって片側供給モードに切り換えられ、且つ、メダルの供給先として左側のスロットマシン１が指定された際にキースイッチ装置から出力される左側スロットマシン指定信号。
【００７３】
3.メダル貸出機２の左側に配置されたスロットマシン１に対して不正行為が行われたことを当該スロットマシン１が検知した際に、メダル貸出機２に向かって発信される左側スロットマシン不正検知信号。
4.メダル貸出機２の右側に配置されたスロットマシン１に対して不正行為が行われたことを当該スロットマシン１が検知した際に、メダル貸出機２に向かって発信される右側スロットマシン不正検知信号。
5.一括投入口31の周縁部分に形成された堰部272 の表面に設けられている接触センサ274 に遊技者の指等が接触した際に、当該接触センサ274 から出力される、あるいは、貸出のために排出したメダルの枚数が所定値に達した際に、貸出メダル払出装置25から出力されるベルト起動信号。
【００７４】
ここで、不正行為検知手段150 としては、ソフトウェアを含んで形成されたものだけでなく、ハードウェアのみで形成されたものも採用できる。以下、ハードウェアのみで形成した場合の不正行為検知手段150 について説明する。図９には、不正行為検知手段150 の概略構成が示されている。
不正行為検知手段150 には、図９の如く、紙幣カウンタ22からの貸出要求信号及び紙幣投入信号に基づいて不正行為の検知を行う異常信号検知手段160 と、貸出要求信号を受信した間隔に基づいて不正行為の検知を行う紙幣カウンタ異常検知手段170 と、電極部の電圧に基づいて不正行為の検知を行う異常電圧検知手段180 とが不正行為を検知する不正行為検知手段として設けられている。
【００７５】
また、不正行為検知手段150 には、異常信号検知手段160 、紙幣カウンタ異常検知手段170 及び異常電圧検知手段180 の出力信号の論理和を演算する論理和演算回路190 が設けられている。
異常信号検知手段160 は、紙幣投入信号及び貸出要求信号を入力信号とする排他論理和回路161 と、この排他論理和回路161 の出力信号及び貸出要求信号を入力信号とする論理積回路162 とを備えたものとなっている。これにより、異常信号検知手段160 は、紙幣カウンタ22から出力される貸出要求信号及び紙幣投入信号の両方が受信可能とされ、紙幣投入信号を受信していないのに、貸出要求信号を受信した場合に、不正検知信号を出力するようになっている。
【００７６】
紙幣カウンタ異常検知手段170 は、紙幣カウンタ22から出力される貸出要求信号を受信し、この貸出要求信号を受信してから次の貸出要求信号を受信するまでの時間的な間隔である受信間隔を計測する間隔計測部171 と、この間隔計測部171 が計測した受信間隔と予め設定された値とを比較して、計測した受信間隔が適正な値であるか否かを判定する間隔比較部172 とを備えている。これにより、紙幣カウンタ異常検知手段170 は、紙幣カウンタ22から出力される貸出要求信号の出力間隔、すなわち、間隔計測部171 の計測した受信間隔が所定時間以下の場合に、間隔比較部172 から不正検知信号を出力するようになっている。
【００７７】
異常電圧検知手段180 は、前述した電極部に印加される電圧の電圧値を測定する電圧測定部181 と、この電圧測定部181 が測定した電圧値と予め設定された上限値及び下限値とを比較して、測定した電圧値が適正な範囲内にあるか否かを判定する電圧値比較部182 と、電極部に印加される電圧の周波数を測定する周波数測定部183 と、この周波数測定部183 が測定した周波数と予め設定された上限値及び下限値とを比較して、測定した周波数が適正な範囲内にあるか否かを判定する周波数比較部184 とを備えている。これにより、異常電圧検知手段180 は、予め設定された範囲の電圧値及び周波数の少なくとも一方を逸脱した電圧が電極部に印加された場合に、不正検知信号を出力するようになっている。
【００７８】
そして、不正行為検知手段150 は、異常信号検知手段160 、紙幣カウンタ異常検知手段170 及び異常電圧検知手段180 のいずれかから不正検知信号が出力されると、これらの不正検知信号を受信する論理和演算回路190 が、メダル貸出機２の内部で発生した不正検知信号である内部不正検知信号を出力するようになっている。
不正行為検知時動作制御手段200 としては、ソフトウェアを含んで形成されたものだけでなく、ハードウェアのみで形成されたものも採用できる。以下、ハードウェアのみで形成した場合の不正行為検知時動作制御手段200 について説明する。図１０には、不正行為検知時動作制御手段200 の概略構成が示されている。
【００７９】
不正行為検知時動作制御手段200 には、図１０の如く、メダル貸出機２の両側に配置されたスロットマシン１からの不正検知信号を受信する信号受信手段210 と、スロットマシン１及び不正行為検知手段150からの不正検知信号に基づいて不正行為に対して行うべき動作を選択する動作選択手段220 と、メダルを移送する無端ベルト53の強制停止を行うための強制停止手段230 と、一括投入口31の強制閉鎖を行うための強制閉鎖手段240 と、紙幣投入口21の閉鎖を行う紙幣投入口閉鎖手段250 とが設けられている。
信号受信手段210 は、メダル貸出機２の左側に配置されたスロットマシン１から出力される不正検知信号、及び、メダル貸出機２の右側に配置された側のスロットマシン１から出力される不正検知信号の二信号を入力信号とする論理和回路211 と、選択すべき信号を左側のスロットマシン１からの不正検知信号及び右側のスロットマシン１からの不正検知信号の一方から他方へ切り換えるためのスイッチング回路212 とを備えている。
【００８０】
これにより、信号受信手段210 は、両側に配置されたスロットマシン１から出力される不正検知信号のいずれもが受信可能となるように形成されている。
この際、論理和回路211 には、両側に配置されたスロットマシン１から出力される不正検知信号の両方が入力されるようになっている。そして、論理和回路211 は、両側のスロットマシン１のいずれかに対して不正行為が行われると、両側供給モード時に必要な不正検知信号を出力するようになっている。
スイッチング回路212 は、片側供給モード時において、キースイッチ操作で指定されたスロットマシン１の不正検知信号を選択するものとなっている。すなわち、スイッチング回路212 は、左側のスロットマシン１が指定された際にキースイッチ装置から出力される左側スロットマシン指定信号を受信すると、左側のスロットマシン１から出力される不正検知信号を選択して出力するものとなっている。一方、スイッチング回路212 は、片側供給モード時において、右側のスロットマシン１が指定されたために、キースイッチ装置から出力される左側スロットマシン指定信号の受信がなされない場合には、右側のスロットマシン１から出力される不正検知信号を選択して出力するものとなっている。
【００８１】
ここにおいて、信号受信手段210 からは、片側供給モード時において指定された一方のスロットマシン１から出力された指定不正検知信号、及び、二つのスロットマシン１の不正検知信号の論理和となった論理和不正検知信号の二種類の不正検知信号が出力されるようになっている。
動作選択手段220 は、メダル貸出機２に設定されているメダルの供給モード（両側供給モード又は片側供給モード）、貸出メダル払出装置25による無端ベルト53へのメダルの排出枚数、及び、遊技者等の接触センサ274 への接触状況に応じて、不正行為に対する動作を選択するものとなっている。
【００８２】
この動作選択手段220 には、信号受信手段210 から送られてくる二つの不正検知信号のうちの一方を選択するスイッチング回路221 と、両側供給モード時にスイッチング回路221 からの信号を遮断するスイッチング素子222 と、片側供給モード時にスイッチング回路221 からの信号を遮断するスイッチング素子223 と、強制停止手段230 に強制停止指令信号を送出する論理和回路224 と、強制閉鎖手段240 に強制閉鎖指令信号を送出する論理積回路225 と、この論理積回路225 に強制閉鎖許可信号を送出する論理和回路226 とが設けられている。
スイッチング回路221 は、キースイッチ操作で両側供給モードが指定されると、キースイッチ装置から出力される両側供給モード信号が入力され、両側供給モード信号を受信すると、信号受信手段210 が出力する指定不正検知信号及び論理和不正検知信号のうち、論理和不正検知信号を選択して、選択した論理和不正検知信号を選択不正検知信号として出力するようになっている。
【００８３】
また、スイッチング回路221 は、キースイッチ操作で片側供給モードが指定されると、キースイッチ装置から両側供給モード信号が出力されないので、両側供給モード信号を受信することがなく、信号受信手段210 が出力する指定不正検知信号を選択して、選択した指定不正検知信号を選択不正検知信号として出力するようになっている。
スイッチング素子222 は、キースイッチ操作で両側供給モードが指定されると、キースイッチ装置から出力される両側供給モード信号を受信して、スイッチング回路221 から出力される選択不正検知信号を遮断するようになっている。
また、スイッチング素子222 は、キースイッチ操作で片側供給モードが指定されると、キースイッチ装置から両側供給モード信号が出力されないので、両側供給モード信号を受信することがなく、導通状態を維持して、スイッチング回路221 から出力される選択不正検知信号を論理和回路226 へそのまま送出するようになっている。
【００８４】
これにより、両側供給モード時においては、スイッチング素子222 が遮断状態となるので、左側のスロットマシン１及び右側のスロットマシン１のいずれかが不正検知信号を出力しても、出力された不正検知信号が論理和回路226 到達しないようになっている。
一方、片側供給モード時においては、左側のスロットマシン１及び右側のスロットマシン１のうち、キースイッチ操作で指定されたスロットマシン１か出力する不正検知信号が論理和回路226 到達するようになっている。
スイッチング素子223 は、キースイッチ操作で両側供給モードが指定されると、キースイッチ装置から出力される両側供給モード信号を受信して導通状態となり、スイッチング回路221 から出力される選択不正検知信号を紙幣投入口閉鎖手段250 へ送出するようになっている。
【００８５】
また、スイッチング素子223 は、キースイッチ操作で片側供給モードが指定されると、キースイッチ装置から両側供給モード信号が出力されないので、両側供給モード信号を受信することがなく、遮断状態を維持し、スイッチング回路221 から出力される選択不正検知信号を遮断するようになっている。
これにより、両側供給モード時においては、左側のスロットマシン１及び右側のスロットマシン１のいずれかが不正検知信号を出力すると、この出力された不正検知信号がスイッチング素子222 から出力されるようになっている。そして、スイッチング素子222 から出力された不正検知信号が閉鎖指令信号として紙幣投入口閉鎖手段250 に受信されるようになっている。これにより、閉鎖部材21A が閉鎖位置まで移動して、紙幣投入口21が閉鎖されるようになっている。
【００８６】
一方、片側供給モード時においては、スイッチング素子223 が遮断状態を維持し、いかなる不正検知信号も紙幣投入口閉鎖手段250 に受信されることがなく、紙幣投入口21が開放状態を維持するようになっている。
論理和回路224 は、不正行為検知手段150 からの内部不正検知信号、及び、スイッチング回路221 からの選択不正検知信号を受信し、これらの不正検知信号に基づいて、強制停止手段230 に強制停止指令信号を送出するものである。
具体的には、両側供給モード時においては、左側のスロットマシン１及び右側のスロットマシン１、並びに、メダル貸出機２の不正行為検知手段150 のいずれかが不正検知信号を出力すると、強制停止手段230 に強制停止指令信号を送出するようになっている。そして、強制停止指令信号を受信した強制停止手段230 は、メダルを移送する無端ベルト53を強制停止させる、あるいは、無端ベルト53の停止状態を強制的に維持させるようになっている。
【００８７】
一方、片側供給モード時においては、左側のスロットマシン１及び右側のスロットマシン１のうち、キースイッチ操作で指定されたスロットマシン１、及び、メダル貸出機２の不正行為検知手段150 のいずれかが不正検知信号を出力すると、強制停止手段230 に強制停止指令信号を送出し、これにより、強制停止手段230 が、メダルを移送する無端ベルト53を強制停止させる、あるいは、無端ベルト53の停止状態を強制的に維持させるようになっている。
論理和回路226 は、不正行為検知手段150 からの内部不正検知信号、及び、スイッチング素子222 を通じて送られてくるスイッチング回路221 からの選択不正検知信号が入力され、これらの二つの信号のいずれかを受信すると、論理積回路225 に強制閉鎖許可信号を送出するものである。
【００８８】
具体的には、両側供給モード時においては、スイッチング素子222 がスイッチング回路221 からの選択不正検知信号を遮断してしまい、論理和回路226 が選択不正検知信号を受信することがないので、論理和回路226 は、不正行為検知手段150 からの内部不正検知信号を受信すると、論理積回路225 へ強制閉鎖許可信号を送出するようになっている。
一方、片側供給モード時においては、スイッチング素子222 が導通状態となるので、不正行為検知手段150 からの内部不正検知信号が出力されたときだけでなく、キースイッチ操作で指定されたスロットマシン１から不正検知信号が出力されたときにも、論理和回路226 は、論理積回路225 へ強制閉鎖許可信号を送出するようになっている。
【００８９】
論理積回路225 は、論理和回路226 から送られてくる強制閉鎖許可信号、及び、接触センサ274 等から送られてくるベルト起動信号が入力され、これらの二つの信号を同時に受信すると、強制閉鎖手段240 に強制閉鎖指令信号を送出するものである。
具体的には、両側供給モード時においては、左側のスロットマシン１及び右側のスロットマシン１、並びに、メダル貸出機２の不正行為検知手段150 のいずれかから不正検知信号を受信している状態で、接触センサ274 等からベルト起動信号を受信すると、論理積回路225 は、強制閉鎖手段240 に強制閉鎖指令信号を送出するようになっている。
一方、片側供給モード時においては、キースイッチ操作で指定されたスロットマシン１から不正検知信号を受信している状態で、接触センサ274 等からベルト起動信号を受信すると、論理積回路225 は、強制閉鎖手段240 に強制閉鎖指令信号を送出するようになっている。
【００９０】
続いて、本実施形態に係るメダル貸出機２の両側供給モードにおけるメダル貸出動作、及び、メダル貸出機２及びその両側のスロットマシン１のいずれかに不正行為が行われた場合の不正行為対応動作のそれぞれに係る一連の処理について、図１１及び図１２のフローチャートを参照しながら説明する。
メダル貸出動作に係る一連の処理であるメダル貸出処理、及び、不正行為対応動作に係る一連の処理である不正行為対応処理は、駆動制御装置280 のＲＯＭに記憶されて、そのＣＰＵによって実行されるソフトウェアで並列処理することができ、且つ、遊技者側から見ると、同時に処理されるものとなっている。以下の説明では、まず最初に、メダル貸出処理及びについて説明し、この説明の次に、不正行為対応処理について説明する。
【００９１】
メダル貸出機２の電源を投入する等により、メダル貸出処理が開始され、ステップＳ1100において、メダル貸出機２の動作モードを設定する処理が行われる。ここでは、前述したキースイッチ操作により動作モードを両側供給モードに設定する。この動作モードの設定処理が完了したら、次のステップＳ1200へ進み、このステップＳ1200で、シャッタ33を駆動して、このシャッタ33で一括投入口31を閉鎖する処理を行う。
この閉鎖処理により、一方のスロットマシン１へメダルを貸し出す際に、他方のスロットマシン１で遊技を行っている遊技者が一括投入口31へ多数のメダルを投入しようとしても、一括投入口31が閉鎖されているので、遊技者は、一括投入口31へのメダルの投入が行えなくなる。これにより、２台のスロットマシン１の間にメダル貸出機２を設置し、これら２台のスロットマシンの両方に対して、１台のメダル貸出機２でメダルを貸し出すようにしても、一方のスロットマシン１で遊技している遊技者に貸し出されるメダルと、他方のスロットマシン１で遊技している遊技者が投入したメダルとがメダル貸出機２の内部で混ざり合うことがなく、所有者の異なるメダルが混ざり合ってしまうというトラブルを未然に防止することができる。
【００９２】
このような閉鎖処理が完了した後、次のステップＳ1300へ進む。
ステップＳ1300では、千円札が紙幣投入口21に投入されたか否かの判断がなされる。このステップＳ1300で、千円札が紙幣投入口21に投入されていないと判断された場合には、千円札が紙幣投入口21に投入されるまで、ステップＳ1300を繰り返す。一方、ステップＳ1300で、千円札が紙幣投入口21に投入されたと判断された場合には、次のステップＳ1400へ進む。
ステップＳ1400では、貸出スイッチ67A, 67Bのいずれかが押圧操作されたか否か判断される。このステップＳ1400で、貸出スイッチ67A, 67Bのいずれかが押圧操作されていないと判断された場合には、貸出スイッチ67A, 67Bのいずれかが押圧操作されるまで、ステップＳ1400を繰り返す。一方、ステップＳ1400で、貸出スイッチ67A, 67Bのいずれかが押圧操作されたと判断された場合には、次のステップＳ1500へ進む。
【００９３】
ステップＳ1500では、押圧操作された貸出スイッチ67A, 67Bのいずれかが特定するスロットマシン１側を貸出ノズル71が向くように、貸出ノズル71を移動させる貸出ノズル71の移動処理が開始される。更に具体的に説明すると、左側の貸出スイッチ67A が押圧操作された場合、ステップＳ1500では、左側のスロットマシン１側を向くように貸出ノズル71の移動が開始される。反対に、右側の貸出スイッチ67B が押圧操作された場合、ステップＳ1500では、右側のスロットマシン１側を向くように貸出ノズル71の移動が開始される。貸出ノズル71の移動処理を開始したら、次のステップＳ1600へ進む。
ステップＳ1600では、貸出ノズル71が凹部75A, 75Bのいずれかに到着して停止したか否かが判断される。このステップＳ1600で、貸出ノズル71が停止していないと判断された場合には、貸出ノズル71が停止するまで、ステップＳ1600を繰り返す。
【００９４】
一方、ステップＳ1600で、貸出ノズル71が停止していると判断された場合には、次のステップＳ1700へ進む。
ステップＳ1700では、貸出メダル払出装置25が駆動され、これにより、特定されたスロットマシン１にメダルを貸し出すメダル貸出処理が開始される。
ここで、貸出スイッチ67A, 67Bのいずれかが押圧操作されないと、メダルを貸し出すメダル貸出処理が開始されないようになっており、これにより、誤ったスロットマシン１側にメダルを貸し出されることを未然に防止することができる。
また、貸出ノズル71が凹部75A, 75Bのいずれかに到着して完全に停止するまで、メダルを貸し出すメダル貸出処理が開始されないようになっており、これにより、固定された通路部65と、回動するメダル通路73A との接続部分においてメダル詰まりが発生することを未然に防止することができる。
【００９５】
そして、メダル貸出処理が開始されたら、次のステップＳ1800へ進む。このステップＳ1800では、メダル貸出処理で所定の枚数のメダルが特定されたスロットマシン１側へ貸し出されたか否か、換言すると、貸し出すべき全メダルの排出が完了したか否かが判断される。ステップＳ1800で、全メダルの排出が完了していないと判断された場合には、全メダルの排出が完了するまで、ステップＳ1800を繰り返す。
一方、ステップＳ1800で、全メダルの排出が完了していると判断された場合には、ステップＳ1100から続いてきた一連のメダル貸出処理が完了する。
次に、不正行為対応処理について説明する。
【００９６】
不正行為対応処理は、両側のスロットマシン１のいずれかにおいて遊技が開始される等によって開始され、ステップＳ2110において、メダル貸出機２に設けられている不正行為検知手段150 が不正行為を検出したか否か判断される。
このステップＳ2110で、不正行為を検出したと判断された場合には、次のステップＳ2120を飛び越してステップＳ2130へ進む。一方、ステップＳ2110で、不正行為を検出したと判断されなかった場合には、次のステップＳ2120へ進む。
ステップＳ2120では、両側のスロットマシン１のいずれかから不正検知信号を受信したか否かの判断がなされる。
【００９７】
このステップＳ2120で、不正検知信号を受信したと判断されなかった場合には、メダル貸出機２及び左右のスロットマシン１のいずれにおいても不正行為が行われていないとみなせるので、ステップＳ2120より後の処理は行われず、不正行為対応処理が完了する。
一方、ステップＳ2120で、不正検知信号を受信したと判断された場合には、次のステップＳ2130へ進む。
ステップＳ2130では、ベルト停止状態維持処理が開始される。この処理により、無端ベルト53が作動中の場合には、強制停止手段230 によって無端ベルト53が強制停止され、あるいは、無端ベルト53が停止中の場合には、貸出メダル払出装置25又は接触センサ274 からベルト起動信号が送信されてきても、強制停止手段230 によって無端ベルト53の停止状態が強制的に維持される。ベルト停止状態維持処理が開始されたら、次のステップＳ2140へ進む。
【００９８】
ステップＳ2140では、不正行為が行われたことを報知するために、スロットマシン１及びメダル貸出機２を管理するホールコンピュータ等の管理装置へエラー信号を出力する外部出力処理を行う。この外部出力処理が完了したら、次のステップＳ2150へ進む。
ステップＳ2150では、メダル貸出機２のメダル供給動作モードが、両側のスロットマシン１にメダルを供給する両側供給モードであるか否かの判断がなされる。
このステップＳ2150で、両側供給モードであると判断されなかった場合、すなわち、片側のスロットマシン１にのみメダルを供給する片側供給モードであると判断された場合には、ステップＳ2210へ進む。一方、ステップＳ2150で、両側供給モードであると判断された場合には、ステップＳ2310へ進む。
【００９９】
ステップＳ2210では、貸出メダル払出装置25又は接触センサ274 によってベルト起動信号が発信されたか否かの判断がなされる。
このステップＳ2210で、ベルト起動信号が発信されたと判断されなかった場合には、ステップＳ2210より後の処理は行われず、不正行為対応処理が完了する。
一方、ステップＳ2210で、ベルト起動信号が発信されたと判断された場合には、次のステップＳ2220へ進む。
ステップＳ2220では、シャッタ33を駆動して一括投入口31を閉鎖するシャッタ閉鎖処理を行う。シャッタ閉鎖処理が完了したら、次のステップＳ2230へ進む。
【０１００】
ステップＳ2230では、貸出スイッチ67A, 67Bの上方に設けた液晶表示装置275 に不正行為が行われていることを表示する警報及びエラー表示処理を開始する。警報及びエラー表示処理を開始してから所定の時間が経過したら、次のステップＳ2240へ進む。
ステップS2240では、閉鎖解除のための操作がなされたか否かの判断、より具体的にいえば、スロットマシン１及びメダル貸出機２に対してリセット操作がなされたか否かが判断される。このステップS2240で閉鎖解除のための操作がなされたと判断されなかった場合には、ステップS2240の前に戻り、閉鎖解除操作がなされるまで待機するためにステップS2240を繰り返し行う。
【０１０１】
一方、ステップS2240で閉鎖解除のための操作がなされたと判断された場合には、次のステップS2250へ進み、通常状態に戻るための復帰処理がなされ、この復帰処理が完了すると、不正行為対応処理は完了する。
前述のステップＳ2150で両側供給モードであると判断されてステップＳ2310へ進むと、このステップＳ2310では、閉鎖部材21A を駆動して紙幣投入口21を閉鎖する紙幣投入口閉鎖処理を行う。紙幣投入口閉鎖処理が完了したら、次のステップＳ2320へ進む。
ステップＳ2320では、貸出スイッチ67A, 67B上方の液晶表示装置275 に不正行為が行われていることを表示する警報及びエラー表示処理を開始する。警報及びエラー表示処理を開始してから所定の時間が経過したら、次のステップＳ2330へ進む。
【０１０２】
ステップS2330では、閉鎖解除のための操作がなされたか否かの判断、より具体的にいえば、スロットマシン１及びメダル貸出機２に対してリセット操作がなされたか否かが判断される。このステップS2330で閉鎖解除のための操作がなされたと判断されなかった場合には、ステップS2330の前に戻り、閉鎖解除操作がなされるまで待機するためにステップS2330を繰り返し行う。
一方、ステップS2330で閉鎖解除のための操作がなされたと判断された場合には、次のステップS2340へ進み、通常状態に戻るための復帰処理がなされ、この復帰処理が完了すると、不正行為対応処理は完了する。
（実施形態の効果）
前述のような本実施形態によれば、次のような効果が得られる。
【０１０３】
すなわち、不正行為が行われた際にスロットマシン１から出力される不正検知信号を受信する信号受信手段210 と、この信号受信手段210 が不正検知信号を受信すると、無端ベルト53の強制停止を行う強制停止手段230 とを設け、隣接するスロットマシン１に対して不正行為がなされると、メダル移送装置40の無端ベルト53が強制的に停止されるようにしたので、スロットマシン１に不正行為がなされて、メダル貸出機２にも不正行為がなされる蓋然性が非常に高い状況になると、メダル貸出機２に不正行為がなされる前に、メダルを外部に移送する無端ベルト53が停止されてしまう。このため、貸出メダル払出装置25を誤作動させる等の不正行為を行っても、メダルを外部に取り出すことができない。これにより、不正行為が及ぶ蓋然性が非常に高いに状況になると、事前に不正行為に対して適切な措置を行うことができる。
【０１０４】
しかも、不正行為者が、スロットマシン１への不正行為によってメダル貸出機２の無端ベルト53が意図的に停止されたことに気が付かず、メダル貸出機２が故障したものと思い込み、スロットマシン１の管理者等にメダル貸出機２の修理を申し出れば、その時点で、不正行為者を現行犯で取り押さえることができる。
また、無端ベルト53の上方に、複数のメダルをまとめて投入できるサイズの一括投入口31を設け、遊技者が一括投入口31に複数のメダルをまとめて投入できるようにし、且つ、一括投入口31にメダルを投入した後、メダル移送装置40の無端ベルト53を作動させることで、メダルが一枚ずつスロットマシン１に自動的に投入されるようにしたので、遊技者は、手動でメダルを一枚ずつスロットマシン１の上部投入開口11に投入していく煩雑さから開放されるようになり、遊技者の遊技における便宜を図ることができる。
【０１０５】
ここで、信号受信手段210 が不正検知信号を受信した後、メダル移送装置40に対して無端ベルト53を起動すべき旨を指令するベルト起動信号が発信されると、シャッタ33が一括投入口31を強制的に閉鎖するようにしたので、一括投入口31のサイズを複数のメダルがまとめて投入可能なサイズにしても、不正行為がなされると一括投入口31が閉鎖され、貸出メダル払出装置25の作動によりベルトの上に排出されたメダルを取ることができず、従って、不正行為を行った者がメダルを獲得することを未然に防止することができる。
そして、このような無端ベルト53の強制停止処理によれば、いわゆる「クレマンゴト」により満タンにしたクレジットを精算操作でメダルにした後、不正に得たメダルで遊技を行おうとする場合、あるいは、「ホッパゴト」で不正に得たメダルで遊技を行おうとする場合において、不正行為者が一括投入口31に不正に得たメダルを投入すると、メダル移送装置40の無端ベルト53が強制的に停止状態を維持することとなるので、略奪したメダルは、遊技に使うことができなくなるだけでなく、メダル貸出機２から取り出すこともできなくなる。このため、略奪されたメダルを取り戻すことができ、従って、「クレマンゴト」や「ホッパゴト」に対しても充分な防犯効果をあげることができる。
【０１０６】
さらに、両側に配置されたスロットマシン１から出力される不正検知信号のいずれもが信号受信手段210 で受信できるようにしたうえ、信号受信手段210 が両側のスロットマシン１の少なくとも一方から不正検知信号を受信すると、強制停止手段230 が無端ベルト53を強制停止するようになるので、両側のスロットマシン１の一方に対して不正行為が行われた時点で、無端ベルト53が強制停止されるようになる。
従って、両側のスロットマシン１にメダルを貸し出すようにしたために、不正行為の蓋然性が高くなりやすい環境下におかれても、メダル貸出機２に不正行為がなされる前に、メダル移送装置40の無端ベルト53が停止して作動不能となるようにしたので、この後、貸出メダル払出装置25を誤作動させる等の不正行為をメダル貸出機２に対して行っても、メダルを取り出すことができない。これにより、不正行為の蓋然性が高くなりやすい環境におかれても、事前に不正行為に対して適切な措置をとることができる。
【０１０７】
しかも、両側のスロットマシン１のうち、一方のスロットマシン１で、一般の遊技者が適正に遊技を行っている状況で、他方のスロットマシン１で不正行為者が不正行為を行うと、メダル貸出機２の無端ベルト53が停止し、この無端ベルトの停止は、一般の遊技者も気付くこととなる。すると、一般の遊技者は、メダル貸出機２の復旧をスロットマシン１の管理者等に依頼するので、その時点で、不正行為者は、不正行為によりスロットマシン１からメダルを獲得するのをあきらめて退散し、不正行為による損害を最低限に抑えることができる。
なお、隣の一般遊技者が復旧依頼をしたことに不正行為者が気付かない場合には、スロットマシン１の管理者等がメダル貸出機２を復旧しにきたときに、不正行為者を現行犯で取り押さえることができる。
【０１０８】
また、紙幣カウンタ22の紙幣投入口21を閉鎖可能な閉鎖部材21A を設け、スロットマシン１の少なくとも一方から不正検知信号を受信すると、紙幣投入口閉鎖手段250 がソレノイド21B を作動させ、閉鎖部材21A で紙幣カウンタ22の紙幣投入口21を閉鎖するようにしたので、スロットマシン１の少なくとも一方で不正行為が行われると、メダル貸出機２の無端ベルト53が停止するとともに、紙幣カウンタ22の紙幣投入口21A が閉鎖される。
ここで、両側のスロットマシン１のうち、一方のスロットマシン１で、一般の遊技者が適正に遊技を行っている状況において、他方のスロットマシン１で不正行為者が不正行為を行ったために、メダル貸出機２の無端ベルト53が停止すると、一般の遊技者もメダルの貸出を受けることができなくなり、紙幣投入口21を開放したままにしておくと、一般の遊技者がメダル貸出機２に紙幣を投入していまい、投入した紙幣が無駄になるが、紙幣カウンタ２の紙幣投入口21が閉鎖されるので、一般の遊技者がメダル貸出機２に紙幣を投入することができず、一般遊技者の紙幣の無駄を未然に防止することができる。
（変形例）
なお、本発明は、前記実施形態に限定されるものではなく、本発明の目的を達成できる範囲における変形及び改良などをも含むものである。
【０１０９】
すなわち、メダル貸出機としては、両側のスロットマシン１のいずれにもメダルを貸し出せるように形成されたものに限らず、一方の側に配置された一のスロットマシン１にのみメダルを貸し出せるように形成されたものでもよい。
一のスロットマシン１にのみメダルを貸し出すメダル貸出機は、前記実施形態で説明したハードウェア及びソフトウェアをそのまま利用するとともに、片側供給モードでのみ運転するように構成すれば、容易に実現することができる。
この際、スロットマシンとしては、側方移送通路12A 及び側方移送通路12B の両方を備えたものに限らず、いずれか一方のみを備えたものでもよい。このようなスロットマシンを採用する場合、側方移送通路12A を備えたスロットマシンをメダル貸出機２の左側に配置し、側方移送通路12B を備えたスロットマシンをメダル貸出機２の右側に配置すればよい。
【０１１０】
また、スロットマシンとしては、その前面の右側縁近傍に１つのメダル投入部10が形成されたものに限らず、その前面の両側縁近傍にそれぞれ１つのメダル投入部10が設けられ、これら２つのメダル投入部10が左右対称に配置されたものでもよい。このように２つのメダル投入部10が左右対称に配置されたスロットマシンを採用すれば、側方移送通路12A 及び側方移送通路12B の長さを均等にすることができる。
さらに、前記実施形態では、メダル貸出機２に対して不正行為が行われた場合、液晶表示装置275 で警報表示を行うとともに、ブザーを鳴動させるようにしたが、不正行為を検知しても、液晶表示装置275 の警報表示及びブザーの鳴動を行わないように、メダル貸出機２を設定してもよい。このように設定すれば、不正行為の検知により、不正行為対応処理が開始され、メダル貸出機２の無端ベルト53が停止されるが、不正行為を行った不正行為者は、無端ベルト53の停止が不正行為対応処理によるものとは気が付かず、メダル貸出機２の故障であると思い込むようになり、メダル貸出機２の復旧をスロットマシン１の管理者等に依頼する可能性がより高くなる。これにより、不正行為者を取り押さえられる可能性を更に向上させることができる。
【０１１１】
また、スロットマシンが検知の対象とする不正行為は、前述した「クレマンゴト」、「ホッパゴト」、「体感器ゴト」及び「設定変更ゴト」に限らず、他の不正行為でもよく、要するに、その検知を外部へ出力される信号で報知すべき不正行為であれば、その具体的内容は限定されない。
【図面の簡単な説明】
【０１１２】
【図１】本発明の一実施形態に係るスロットマシンとメダル貸出機を示す正面図及び平面図である。
【図２】前記実施形態に係るスロットマシン及びメダル貸出機を示す斜視図である。
【図３】前記実施形態に係るメダル貸出機の要部を示す拡大斜視図である。
【図４】前記実施形態に係るスロットマシンの要部を示す拡大斜視図である。
【図５】前記実施形態に係るメダル貸出機の要部を示す拡大断面図である。
【図６】前記実施形態に係る貸出ノズルを示す拡大断面図である。
【図７】前記実施形態に係る貸出ノズルを示す拡大斜視面図である。
【図８】前記実施形態に係る駆動制御装置の概略構成を示すブロック図である。
【図９】前記実施形態に係る不正行為検知手段の概略構成を示すブロック図である。
【図１０】前記実施形態に係る不正行為検知時動作制御手段の概略構成を示すブロック図である。
【図１１】前記実施形態に係るメダル貸出処理を説明するためのフローチャートである。
【図１２】前記実施形態に係る不正行為対応処理を説明するためのフローチャートである。
【符号の説明】
【０１１３】
１          スロットマシン
２          メダル貸出機
21          紙幣投入口
21A         閉鎖部材
21B         閉鎖部材駆動手段としてのソレノイド
22          紙幣カウンタ
25          メダル貯留装置としての貸出メダル払出装置
31          一括投入口
33          シャッタ
35          シャッタ駆動手段としてのシャッタ・モータ
40          搬送ベルト装置としてのメダル移送装置
53          ベルトとしての無端ベルト
70          メダル供給切換機構としての切換部
210          信号受信手段
230          強制停止手段
240          強制閉鎖手段
250          紙幣投入口閉鎖手段
【図１】
2008073123.tif 000003
【図２】
2008073123.tif 000004
【図３】
2008073123.tif 000005
【図４】
2008073123.tif 000006
【図５】
2008073123.tif 000007
【図６】
2008073123.tif 000008
【図７】
2008073123.tif 000009
【図８】
2008073123.tif 000010
【図９】
2008073123.tif 000011
【図１０】
2008073123.tif 000012
【図１１】
2008073123.tif 000013
【図１２】
2008073123.tif 000014